(57)【要約】【課題】平面ディスプレイを部屋の隅に設置しても、部屋の隅のスペースを有効に活用することができ、また、部屋の隅に設置しない場合でも、平面ディスプレイの上面及び背面を物置として利用できるようにする。【解決手段】平面ディスプレイ１の背面上部に、スタンド底面４と同等の奥行きを有する折たたみ可能な棚板２を設けることにより、この棚板２の上に物置として利用できるスペースを設けたことを特徴とする。【選択図】  図１
2004153410.tif 000002
【特許請求の範囲】
【請求項１】
平面ディスプレイパネルの背面上部に、所定の奥行きを有する棚板を設けることにより、この棚板の上に物置として利用できるスペースを設けたことを特徴とする平面ディスプレイ装置。
【請求項２】
棚板は、平面ディスプレイパネルのスタンド底面と同等の奥行きを有する請求項１記載の平面ディスプレイ装置。
【請求項３】
棚板は、その一端がパネルの背面上部に第１の可動軸に軸支され、その棚板の他端が第２の可動軸により支柱の一端に軸支され、この支柱の他端は前記パネルの背面下部に支持されることにより、前記パネルの背面で折りたたみ可能とした請求項１または２記載の平面ディスプレイ装置。
【請求項４】
支柱の他端が、平面ディスプレイパネルの背面下部に設けた支持孔に差し込み固定される請求項３記載の平面ディスプレイ装置。
【請求項５】
棚板は、ネジによりパネルの背面上部に着脱可能とした請求項１または２記載の平面ディスプレイ装置。
【請求項６】
棚板は、フック式またはスライド挿入式により、パネルの背面上部に着脱可能とした請求項１または２記載の平面ディスプレイ装置。
【発明の詳細な説明】
【０００１】
【発明の属する技術分野】
本発明は、平面ディスプレイ装置に関し、特にパネル背面を有効に利用できるようにした平面ディスプレイ装置に関する。
【０００２】
【従来の技術】
従来のプラズマディスプレイパネル等の平面ディスプレイは、ディスプレイ部とそれを支持するスタンド部から構成されており、平面ディスプレイの上面及び背面には物置として利用できるスペースは設けられていない。
【０００３】
一般に、テレビ等のディスプレイを一般住宅の部屋に設置する場合、住宅構造及び視聴距離等の要請により部屋の隅に設置する場合が多い。また、ブラウン管テレビから平面ディスプレイへの買い換えた際に、従来ブラウン管テレビで使用していたテレビ台をそのまま使用する場合があるが、この場合も部屋の他の家具等のレイアウトの都合上、従来のブラウン管テレビの位置である部屋の隅に設置することが多い。この平面ディスプレイを床面積を有効に活用しながら部屋の隅に設置できる（例えば、特許文献１参照。）。
【０００４】
この平面ディスプレイ取付装置の構造は、図４（ａ）（ｂ）のようになっている。すなわち、ＰＤＰ（プラズマディスプレイパネル）等の大型の平面ディスプレイ１を、外形が略三角柱状の取付装置となる箱体１１の１つの側面１１ａで抱持して、他の２つの側面１１ｂを部屋の壁２０等に当接して付設するようにして、平面ディスプレイ１を載置した箱体１１を壁２０及び床面２１からなる部屋の隅に設置できるようにしたものである。
【０００５】
箱体１１の平面ディスプレイ１を抱持する１つの側面１１ａには、平面ディスプレイの底面と略等しい大きさの棚部１１ｃを設け、平面ディスプレイ１を棚部１１ｃの上に載置するようにしている。この箱体１１の側面１１ｂには、平面ディスプレイ１の側面部ｌｂに延びる耳部１２を設ける。耳部１２には孔１２ａ，ｂを開口し、平面ディスプレイ１の側面１ｂに立設したボス１ｃを孔１２ａ，ｂに貫入して係止するようにする。耳部１３に開口する孔は、耳部の端部に開放口を備えた開放孔とする。さらに、耳部に開口した開放孔は複数とし、最上部の孔３ａは耳部３の上端に開放するようにし、他の孔１２ｂは、耳部１２の側端に開放するようにすると、平面ディスプレイ１を箱体１１に抱持するとき、ボス１１ｃを孔１ｂ、１ｃに容易に係止できるようになる。
【０００６】
箱体１１の平面ディスプレイ１を抱持した下部に開放口１１ｅを設け、上部に棚板１１ｄを設ける。このようにすると、箱体内部は物入れとして、また、上部は物置として利用できるため、大型の平面ディスプレイを隅に設置するときでも、床面２１が無駄になることがない。また、箱体１１の壁面２０に当接する側面１１ｂには、孔１１ｆを開口し、ネジ１３を同孔に貫入して壁面２０又はその奧の柱等に螺着するようにして、平面ディスプレイを安定に設置する。
【０００７】
【特許文献１】
特開平１１−２４５９３号公報
【０００８】
【発明が解決しようとする課題】
しかし、プラズマディスプレイパネル等の大型の平面ディスプレイを部屋の隅に設置すると、側面が壁に当たるためコーナー部分の床面積は無駄なスペースとなり、また上述した特許文献１の場合には、特別の箱体１１を必要とし、また、箱体１１が特定の形状となっているので、特定の場所にしか設置できず、融通性がないという問題がある。
【０００９】
本発明の目的は、大型の平面ディスプレイを部屋の隅に設置しても、部屋の隅のスペースを有効に活用することができ、また、部屋の隅に設置しない場合でも、平面ディスプレイの上面及び背面を物置として利用できるようにした平面ディスプレイ装置を提供することにある。
【００１０】
【課題を解決するための手段】
本発明の平面ディスプレイ装置の特徴は、平面ディスプレイパネルの背面上部に、所定の奥行きを有する棚板を設けることにより、この棚板の上に物置として利用できるスペースを設けたことを特徴とする。
【００１１】
本発明において、棚板は、平面ディスプレイパネルのスタンド底面と同等の奥行きを有することができ、また、棚板は、その一端がパネルの背面上部に第１の可動軸に軸支され、その棚板の他端が第２の可動軸により支柱の一端に軸支され、この支柱の他端は前記パネルの背面下部に支持されることにより、前記パネルの背面で折りたたみ可能とでき、さらに棚板の支柱の他端が、平面ディスプレイパネルの背面下部に設けた支持孔に差し込み固定されることができる。
【００１２】
さらに、本発明において、棚板は、ネジによりパネルの背面上部に着脱可能とし、また、棚板は、フック式またはスライド挿入式により、パネルの背面上部に着脱可能とできる。
【００１３】
本発明の構成によれば、平面ディスプレイの別付けチューナーセットや、従来ブラウン管テレビの上にのせていた小物やセットトップボックス等が収納可能となり、部屋の隅のスペースを有効に活用することができる。勿論、部屋の隅に設置しない場合でも、平面ディスプレイの上面及び背面を上述の様な物置として利用することができる。
【００１４】
【発明の実施の形態】
図１は本発明の一実施形態のプラズマディスプレイパネルの背面側の斜視図、図２（ａ）（ｂ）は図１のプラズマディスプレイパネルの背面図および側面図である。本実施形態は、プラズマディスプレイパネル１の背面上部に、このパネル１のスタンド底面４と同等の奥行きを有する折たたみ可能な棚板２を可動軸５で軸支し、棚板２の反対端は可動軸６で軸支された支柱７を設け、プラズマディスプレイ背面に設けた支持孔８に支柱７を差込み固定している。なお、プラズマディスプレイパネル１は、支持台３によりスタンド底面４上に設置される。
【００１５】
この構成により、平面ディスプレイの上面１ａと棚板２がフラットになり、折り畳み可能な棚板２の上を物置として利用できるスペースを作り、平面ディスプレイを部屋の隅等に設置する場合に床面積を有効に活用できるようにしている。
【００１６】
すなわち、プラズマディスプレイパネル１の平面ディスプレイの背面上部に、スタンド底面４と同等の奥行きを有する棚板２を可動軸５で軸支し、棚板２の反対端は可動軸６で軸支された支柱７を有しており、プラズマディスプレイ背面に設けた支持孔８に支柱７を差込み固定することにより、平面ディスプレイの上面部１ａと棚板２がフラットになり、物置として利用できるスペースが得られる。
【００１７】
図３（ａ）（ｂ）は本発明の他の実施形態による折畳式の棚板を組み立てない状態の背面図および側面図である。図３に示すように、棚板２を組み立てない状態では、平面ディスプレイの特徴である薄型構造を阻害する事無く、従来通り壁面や壁寄せ設置も可能である。
【００１８】
これら実施形態では、プラズマディスプレイパネル１の背面上部に、折り畳み可能な棚板２を設けていたが、図４（ａ）（ｂ）の背面図および側面図に示す第３の実施形態のように、プラズマディスプレイパネル１の背面に、ネジ９等により着脱可能な棚板１０を設けることにより、前述の実施形態と同様の効果が得られる。
【００１９】
図４のように、プラズマディスプレイパネル１の背面に、棚板固定用のネジ穴を設け、ここに着脱可能な棚板１０をネジ止め固定することで、棚板を物置として利用することが出来る。
【００２０】
更に、プラズマディスプレイパネル１の背面に、フック式やスライド挿入式の着脱可能な棚板を設けることでも同様に構成することが出来る。
【００２１】
【発明の効果】
以上説明したように、本発明の構成によれば、折り畳み可能な棚板を物置として利用することが出来、また、平面ディスプレイの特徴である薄型構造を阻害する事無く、従来通り壁面や壁寄せ設置も可能であるという効果がある。
【図面の簡単な説明】
【図１】本発明の第１の実施形態を説明する平面ディスプレイの背面の斜視図置。
【図２】（ａ）（ｂ）は図１の平面ディスプレイの背面図および側面図。
【図３】（ａ）（ｂ）は本発明の第２の実施形態を説明する平面ディスプレイの背面図および側面図。
【図４】（ａ）（ｂ）は本発明の第３の実施形態を説明する平面ディスプレイの背面図および側面図。
【図５】（ａ）（ｂ）は従来例の平面ディスプレイの背面図および側面図。
【符号の説明】
１    プラズマディスプレイパネル
１ａ    上面部
２，１０    棚板
３    支持台
４    スタンド底面
５    パネル側の可動軸
６    棚板側の可動軸
７    支柱
８    支持孔
９，１３    ネジ
１１    箱体
１２    耳部
２０    壁面
２１    床面
【図１】
2004153410.tif 000003
【図２】
2004153410.tif 000004
【図３】
2004153410.tif 000005
【図４】
2004153410.tif 000006
【図５】
2004153410.tif 000007